(57)【要約】【課題】扉体の大型化を防ぎつつ、強度および水密性を確保すること。【解決手段】建屋（構造体）１００の開口部１０１を開閉する防潮扉であって、開口部１０１を覆って外側からの水圧を受ける外扉１と、外扉１の内側において開口部１０１を閉塞して閉塞部分の水密性を確保する内扉２とを備える。すなわち、外扉１が水圧を受ける機能を担い、内扉２が水密性の機能を担うことから、強度が外扉１によって維持され、水密性が内扉２によって維持される。この結果、各機能が分担され、外扉１をより堅牢に構成しなくても内扉２によって水密性を維持することが可能であるため、全体の大型化を防ぎつつ、強度および水密性を確保することができる。【選択図】図２
2013064233.tif 000002
【特許請求の範囲】
【請求項１】
構造体の開口部を開閉する防潮扉であって、
前記開口部を覆って外側からの水圧を受ける外扉と、
前記外扉の内側において前記開口部を閉塞して閉塞部分の水密性を確保する内扉と、
を備えることを特徴とする防潮扉。
【請求項２】
前記外扉が前記内扉を前記開口部側に押し込む押込機構を備えることを特徴とする請求項１に記載の防潮扉。
【請求項３】
前記外扉および前記内扉の閉塞に伴い前記外扉と前記内扉との間に形成される密閉室を備えることを特徴とする請求項１または２に記載の防潮扉。
【請求項４】
前記密閉室内の圧力を検出する圧力検出手段を備えることもできることを特徴とする請求項３に記載の防潮扉。
【請求項５】
前記外扉および前記内扉は、その戸当り部が前記構造体と一体に構成されていることを特徴とする請求項１〜４のいずれか１つに記載の防潮扉。
【請求項６】
前記外扉および前記内扉は、その戸当り部が前記構造体と別体で構成することもできることを特徴とする請求項１〜４のいずれか１つに記載の防潮扉。
【請求項７】
前記外扉を開閉する外扉開閉機構と、前記内扉を開閉する内扉開閉機構とを独立して備えることを特徴とする請求項１〜６のいずれか１つに記載の防潮扉。
【請求項８】
前記外扉と前記内扉とをともに開閉する開閉機構を備えることを特徴とする請求項１〜６のいずれか１つに記載の防潮扉。
【発明の詳細な説明】
【技術分野】
【０００１】
本発明は、強度および水密性を確保することのできる防潮扉に関するものである。
【背景技術】
【０００２】
防潮扉は、高潮や津波の際に海水の浸入を防止するためのものである。従来、例えば、特許文献１に記載の防潮扉（横引防潮扉の水密構造）は、水門を閉じる扉体の周縁の戸当側に、水密ゴムが設けられている。また、扉体側に水密ゴムが設けられている設備もある。
【先行技術文献】
【特許文献】
【０００３】
【特許文献１】特開２０００−２８２４４４号公報
【発明の概要】
【発明が解決しようとする課題】
【０００４】
ところで、防潮扉は、高潮や津波に耐え得るように堅牢に構成されるが、想定以上の高潮や津波の場合、その圧力によって扉体の中央部分が内側に押圧され、扉体の周縁が戸当り部分から離れるように変形することで、水密性が保てなくなるおそれがある。そのようなことのないように、扉体をより堅牢に構成することが望まれるが、扉体が大型化するため、開閉スペースや扉体の格納スペースが大きくなってしまう。そのため、スペースに制約があると堅牢な扉体を設置することが困難な場合があり、また建屋側の補強も必要となる。しかも、建屋においては、機器の搬入・搬出や、機器の保守などのために扉体を開閉することがあるが、大型で重量の嵩む扉体は、開閉するための駆動装置も大型となる上、開閉が容易でなく不便である。
【０００５】
本発明は上述した課題を解決するものであり大型化を防ぎつつ、強度および水密性を確保することのできる防潮扉を提供することを目的とする。
【課題を解決するための手段】
【０００６】
上述の目的を達成するために、本発明の防潮扉は、構造体の開口部を開閉する防潮扉であって、前記開口部を覆って外側からの水圧を受ける外扉と、前記外扉の内側において前記開口部を閉塞して閉塞部分の水密性を確保する内扉とを備えることを特徴とする。
【０００７】
この防潮扉によれば、外扉が水圧を受ける機能を担い、内扉が水密性の機能を担うことから、強度が外扉によって維持され、水密性が内扉によって維持される。この結果、各機能が分担され、外扉をより堅牢に構成しなくても内扉によって水密性を維持することが可能であるため、全体の大型化を防ぎつつ、強度および水密性を確保することができる。
【０００８】
また、本発明の防潮扉では、前記外扉が前記内扉を前記開口部側に押し込む押込機構を備えることを特徴とする。
【０００９】
この防潮扉によれば、外扉が内扉を押込機構によって押し込むことにより内扉が開口部側に対してより密着することから、内扉による水密性をより高めることができる。さらに、外扉が水圧を受けた場合、これを利用して内扉をより密着させることができる。
【００１０】
また、本発明の防潮扉は、前記外扉および前記内扉の閉塞に伴い前記外扉と前記内扉との間に形成される密閉室を備えることを特徴とする。
【００１１】
この防潮扉によれば、外扉が水圧を受けた場合に、密閉室の圧縮によって内扉が開口部側により密着することから、内扉による水密性をより高めることができる。
【００１２】
また、本発明の防潮扉は、前記密閉室内の圧力を検出する圧力検出手段を備えることもできることを特徴とする。
【００１３】
この防潮扉によれば、閉鎖時に密閉室内の圧力をモニタリングでき、これにより内扉による水密性を確認することができる。
【００１４】
また、本発明の防潮扉では、前記外扉および前記内扉は、その戸当り部が前記構造体と一体に構成されていることを特徴とする。
【００１５】
この防潮扉によれば、外扉および内扉が受けた圧を構造体側で支えることになるため、構造体を利用して防潮扉を設置することができる。
【００１６】
また、本発明の防潮扉では、前記外扉および前記内扉は、その戸当り部が前記構造体と別体で構成することもできることを特徴とする。
【００１７】
この防潮扉によれば、外扉および内扉が受けた圧を自身の構造で支えることになるため、構造体側に係る負担を削減もしくは軽減することができる。
【００１８】
また、本発明の防潮扉は、前記外扉を開閉する外扉開閉機構と、前記内扉を開閉する内扉開閉機構とを独立して備えることを特徴とする。
【００１９】
この防潮扉によれば、外扉を開放したままとして内扉を開閉することができるので、防潮用として使用しないときに、内扉を開口部の通常の開閉用の扉としても用いることができる。
【００２０】
また、本発明の防潮扉は、前記外扉と前記内扉をともに開閉する開閉機構を備えることを特徴とする。
【００２１】
この防潮扉によれば、１つの開閉機構によって外扉と内扉とをともに開閉できるので、防潮扉の部品点数を低減することができる。
【発明の効果】
【００２２】
本発明によれば、大型化を防ぎつつ、強度および水密性を確保することができる。
【図面の簡単な説明】
【００２３】
【図１】図１は、本発明の実施の形態に係る防潮扉の概略斜視図である。
【図２】図２は、本発明の実施の形態に係る防潮扉の横断面図である。
【図３】図３は、本発明の実施の形態に係る防潮扉の縦断面図である。
【図４】図４は、本発明の実施の形態に係る防潮扉の他の構成の横断面図である。
【図５】図５は、本発明の実施の形態に係る防潮扉の他の構成の横断面図である。
【発明を実施するための形態】
【００２４】
以下に、本発明に係る実施の形態を図面に基づいて詳細に説明する。なお、この実施の形態によりこの発明が限定されるものではない。また、下記実施の形態における構成要素には、当業者が置換可能かつ容易なもの、あるいは実質的に同一のものが含まれる。
【００２５】
図１は、本実施の形態に係る防潮扉の概略斜視図であり、図２は、本実施の形態に係る防潮扉の横断面図であり、図３は、本実施の形態に係る防潮扉の縦断面図である。図１では、本実施の形態の防潮扉を、機器・設備を格納する建物である建屋（構造体）１００の開口部１０１を開閉する扉として用いた場合を例示している。また、建屋１００の開口部１０１は、人の出入りする部分や、機器・設備を搬入や搬出できるように車両などの出入り部分として用いられる。なお、防潮扉は、建屋１００の扉以外に、図には明示しないが、例えば、構造体としての防潮堤における開口部を開閉する扉に用いることが可能である。
【００２６】
本実施の形態の防潮扉は、図１〜図３に示すように、外扉１と内扉２とを備える二重扉として構成されている。
【００２７】
外扉１は、建屋１００の開口部１０１を覆うように、高潮や津波が押し寄せる外側に設けられている。この外扉１は、高潮や津波の水圧を外側から受けるものであって、当該水圧に耐え得るように堅牢に構成されている。
【００２８】
外扉１は、図２および図３に示すように、建屋１００との間に、戸当り部１１が設けられている。戸当り部１１は、開口部１０１全面に囲むように設けられており、その外面が外扉１の周縁と対面する。この対面する部分である外扉１と戸当り部１１との間は、水密部材１２が設けられている。水密部材１２は、外扉１または戸当り部１１のいずれかに設けられている。図では外扉１と戸当り部１１の間に水密部材１２が設けられているが、これに限定されるものでなく、戸当り部１１の形状により外扉側面にも設けてもよい。また、戸当り部１１は、建屋１００の柱や梁など、開口部１０１を囲んで戸当り部２５とともに設置される。この戸当り部１１は、建屋１００と一体に構成されていてもよく、または建屋１００と別体で構成されていてもよい。建屋１００と一体に構成される場合、戸当り部１１は、外扉１の受ける圧を支えることになる。また、戸当り部２５に固定され、当該戸当り部２５とともに外扉１の受ける圧を支える構造としてもよい。一方、建屋１００と別体で構成される場合、戸当り部１１は、建屋１００の基礎とは別の基礎によって地盤などに固定され、当該戸当り部１１が外扉１の受ける圧を支えることとなる。また、建屋１００と一体または別体のいずれであっても、戸当り部１１は、図３に示すように、建屋１００の基礎や自身の基礎とは別の基礎に固定された補強部材１３によって補強されていてもよい。
【００２９】
また、外扉１は、図１および図２に示すように、一側端がヒンジ部１４で戸当り部１１に支持され、建屋１００の外側で揺動して開閉作動する形態として構成されている。そして、外扉１は、図２に示すように、開閉端となる他側端に対し、戸当り部１１に設けられたロック機構１５が嵌合することで閉塞状態を保持される。この外扉１は、外扉開閉機構１６によって開閉される。外扉開閉機構１６は、図２および図３に示すように、建屋１００内に支承された油圧シリンダーや機械式シリンダーからなり、その作動子１６ａが外扉１に連結されている。なお、図には明示しないが、外扉開閉機構は、電動モーターや油圧モーターなどで駆動されるピニオンと、当該ピニオンが噛合するラックとによって外扉１を開閉する構成であってもよい。なお、外扉１の開閉形態は、ヒンジ部１４による揺動以外であってよい。例えば、図には明示しないが、外扉１は、開口部１０１に沿ってスライド移動して開閉作動する形態として構成され、外扉開閉機構によって開閉され、閉塞状態をロック機構によって保持されてもよい。なお、ロック機構１５によって外扉１を保持せず、外扉開閉機構１６による閉作動を継続することで外扉１の閉塞状態を保持するようにしてもよい。
【００３０】
内扉２は、外扉１の内側（建屋１００側）において、建屋１００の開口部１０１を閉塞し、閉塞部分の水密性を有するものである。内扉２は、開口部１０１の周縁外面と対向する自身の周縁内面との間に水密部材２１が設けられている。水密部材２１は、内扉２または建屋１００側のいずれかに設けられている。この内扉２は、水密性を主とした機能としており、外扉１のように高潮や津波の水圧を外側から受けるほど堅牢に構成されていなくてもよい。
【００３１】
また、内扉２は、図１および図２に示すように、一側端がヒンジ部２２で戸当り部２５または建屋１００に支持され、建屋１００の外側で揺動して開閉作動する形態として構成されている。そして、内扉２は、図には明示しないが、開閉端となる他側端に、建屋１００に設けられたロック機構が嵌合することで閉塞状態を保持される。この内扉２は、内扉開閉機構２３によって開閉される。内扉開閉機構２３は、図２および図３に示すように、建屋１００内に支承された油圧シリンダーや機械式シリンダーからなり、その作動子２３ａが内扉２に連結されている。なお、図には明示しないが、内扉開閉機構は、電動モーターや油圧モーターなどで駆動されるピニオンと、当該ピニオンが噛合するラックとによって内扉２を開閉する構成であってもよい。なお、内扉２の開閉形態は、ヒンジ部２２による揺動以外であってよい。例えば、図には明示しないが、内扉２は、開口部１０１に沿ってスライド移動して開閉作動する形態として構成され、内扉開閉機構によって開閉され、閉塞状態をロック機構によって保持されてもよい。なお、ロック機構によって内扉２を保持せず、内扉開閉機構２３による閉作動を継続することで内扉２の閉塞状態を保持するようにしてもよい。
【００３２】
図４は、本実施の形態に係る防潮扉の他の構成の横断面図である。図４に示す防潮扉は、上述した防潮扉に対して開閉機構が異なる。図４に示すように、外扉開閉機構１７は、建屋１００外に支承された油圧シリンダーや機械式シリンダーからなり、その作動子１７ａが外扉１のヒンジ部１４に設けられた揺動レバー１４ａに連結されている。また、内扉開閉機構２４は、建屋１００外に支承された油圧シリンダーや機械式シリンダーからなり、その作動子２４ａが内扉２のヒンジ部２２に設けられた揺動レバー２２ａに連結されている。なお、ロック機構１５によって外扉１を保持せず、外扉開閉機構１７による閉作動を継続することで外扉１の閉塞状態を保持するようにしてもよい。さらに、ロック機構によって内扉２を保持せず、内扉開閉機構２４による閉作動を継続することで内扉２の閉塞状態を保持するようにしてもよい。
【００３３】
図５は、本実施の形態に係る防潮扉の他の構成の横断面図である。図５に示す防潮扉は、上述した防潮扉に対して開閉機構が異なる。具体的には、上述した外扉開閉機構および内扉開閉機構を合わせたものである。図５に示すように、開閉機構１８は、建屋１００外に支承された油圧シリンダーや機械式シリンダーからなり、その作動子１８ａが、リンク１８ｂで連結された揺動レバー１４ａ，２２ａの一方（図５では揺動レバー１４ａ）に連結されている。すなわち、開閉機構１８は、外扉１と内扉２とをともに開閉する。なお、ロック機構１５によって外扉１を保持せず、開閉機構１８による閉作動を継続することで外扉１および内扉２の閉塞状態を保持するようにしてもよい。
【００３４】
このように、本実施の形態の防潮扉は、建屋（構造体）１００の開口部１０１を覆って外側からの水圧を受ける外扉１と、外扉１の内側において開口部１０１を閉塞して閉塞部分の水密性を確保する内扉２とを備えている。このため、外扉１が水圧を受ける機能を担い、内扉２が水密性の機能を担うことから、強度が外扉１によって維持され、水密性が内扉２によって維持される。この結果、各機能が分担され、外扉１をより堅牢に構成しなくても内扉２によって水密性を維持することが可能であるため、全体の大型化を防ぎつつ、強度および水密性を確保することが可能になる。
【００３５】
また、図２〜図５に示すように、本実施の形態の防潮扉は、押込機構３が設けられている。押込機構３は、外扉１の内側であって内扉２の水密部周辺に対向する位置に設けられた突起として構成されている。この押込機構３は、閉塞状態の外扉１が水圧を受けた場合、内扉２に当接することで当該内扉２を開口部１０１側に押圧するものである。この押込機構３は、外扉１が水圧を受ける以前において内扉２に当接して当該内扉２を開口部１０１側に押圧するように構成されていてもよい。なお、図には明示しないが、押込機構は、内扉２側で外扉１に対向する位置に設けられた突起として構成されていてもよい。
【００３６】
このように、本実施の形態の防潮扉は、外扉１が内扉２を開口部１０１側に押し込む押込機構３を備える。このため、外扉１が内扉２を押込機構３によって押し込むことにより内扉２が開口部１０１側に対してより密着することから、内扉２による水密性をより高めることが可能になる。さらに、外扉１が水圧を受けた場合、これを利用して内扉２をより密着させることが可能になる。
【００３７】
また、図２〜図５に示すように、本実施の形態の防潮扉は、外扉１および内扉２を閉塞した状態において、外扉１と内扉２との間に、密閉室４が形成される。密閉室４は、外扉１と内扉２と戸当り部１１とで囲まれる空間である。
【００３８】
このように、本実施の形態の防潮扉は、外扉１および内扉２の閉塞に伴い外扉１と内扉２との間に形成される密閉室４を備える。このため、外扉１が水圧を受けた場合に、密閉室４の圧縮によって内扉２が開口部１０１側により密着することから、内扉２による水密性をより高めることが可能になる。
【００３９】
また、図２〜図５に示すように、本実施の形態の防潮扉は、密閉室４内の圧力を検出する圧力検出手段５を備えることもできる。このため、閉鎖時に密閉室４内の圧力をモニタリングでき、これにより内扉２による水密性を確認することが可能になる。
【００４０】
また、本実施の形態の防潮扉では、外扉１および内扉２は、その戸当り部１１，２５が建屋（構造体）１００と一体に構成されている。すなわち、外扉１および内扉２が受けた圧を建屋（構造体）１００側で支えることになるため、建屋（構造体）１００を利用して防潮扉を設置することが可能になる。
【００４１】
また、本実施の形態の防潮扉では、外扉１および内扉２は、その戸当り部１１，２５がと別体で構成することもできる。すなわち、外扉１および内扉２が受けた圧を自身の構造で支えることになるため、建屋（構造体）１００側に係る負担を削減もしくは軽減することが可能になる。
【００４２】
また、本実施の形態の防潮扉は、図２〜図４に示すように、外扉１を開閉する外扉開閉機構１６，１７と、内扉２を開閉する内扉開閉機構２３，２４とを独立して備える。このため、外扉１を開放したままとして内扉２を開閉することができるので、防潮用として使用しないときに、内扉２を開口部１０１の通常の開閉用の扉としても用いることが可能になる。内扉２は、水密性を有する機能であって軽量化できるため、開口部１０１の通常の開閉用の扉として好適である。
【００４３】
また、本実施の形態の防潮扉は、図５に示すように、外扉１と内扉２とをともに開閉する開閉機構１８を備える。このため、１つの開閉機構１８によって外扉１と内扉２とをともに開閉できるので、防潮扉の部品点数を低減することが可能になる。
【符号の説明】
【００４４】
１  外扉
１１  戸当り部
１２  水密部材
１３  補強部材
１４  ヒンジ部
１４ａ  揺動レバー
１５  ロック機構
１６，１７  外扉開閉機構
１６ａ，１７ａ  作動子
１８  開閉機構
１８ｂ  リンク
１８ａ  作動子
２  内扉
２１  水密部材
２２  ヒンジ部
２３，２４  内扉開閉機構
２３ａ，２４ａ  作動子
２５  戸当り部
３  押込機構
４  密閉室
５  圧力検出手段
１００  建屋（構造体）
１０１  開口部
【図１】
2013064233.tif 000003
【図２】
2013064233.tif 000004
【図３】
2013064233.tif 000005
【図４】
2013064233.tif 000006
【図５】
2013064233.tif 000007